(57)【要約】      （修正有）【課題】洋式便器と床材等の部材間の隙間への液滴・ほこり・ゴミ等の浸入防止及びその周辺の液滴等による汚れ防止をほぼ完全に出来ると共に取り付けの作業の容易な薄型吸液性汚れ防止シートを提供する。【解決手段】両面に吸液性を有する帯状の薄い可撓性のあるシート本体２に対し、硬質で且つ小片状の差し込み側が人間の爪状に丸く形成されている差し込み部材５を複数長手方向に所定間隔で配置している。差し込み部材５の前方側でシート本体２を長手方向に折り曲げ、この折り曲げた先端側を洋式便器の下部と床面の隙間部分に差し込み仮固定し、接着剤層４と紐状ゴムの端部の粘着テープ７を便器外周面に貼り付けることで固定作業を完了する。【選択図】図１
2009153934.tif 000002
【特許請求の範囲】
【請求項１】
両面に吸液性を有する帯状の薄い可撓性のあるシート本体に対し、硬質で且つ小片状の差し込み部材を複数長手方向に所定間隔で配置し、前記差し込み部材の前方側で前記シート本体を長手方向に折り曲げ、この折り曲げた先端側を部材間の隙間に差し込み固定することを特徴とする薄型吸液性汚れ防止シート。
【請求項２】
前記差し込み部材は、差し込み側が人間の爪状に丸く形成されていることを特徴とする請求項１記載の薄型吸液性汚れ防止シート。     
【請求項３】
前記シート本体の差し込み側の片面上部側には接着剤層が設けられていることを特徴とする請求項１又は２記載の薄型吸液性汚れ防止シート。
【請求項４】
前記差し込み部材の差し込み側先端に連続して紐状ゴムを前記シート本体の長手方向両端にかけて設け、更に前記紐状ゴムの両端に粘着テープを設けたことを特徴とする請求項１乃至３のいずれか記載の薄型吸液性汚れ防止シート。
【請求項５】
前記部材間の隙間は、洋式便器と床材との隙間であることを特徴とする請求項１記載の薄型吸液性汚れ防止シート。
【発明の詳細な説明】
【技術分野】
【０００１】
本発明は、帯状の薄型吸液性汚れ防止シート、例えば洋式便器と床材との隙間への液滴・ほこり・ゴミ等の浸入防止及びその周辺の液滴等による汚れ防止に使用する薄型吸液性汚れ防止シートに関するものである。    
【背景技術】
【０００２】
従来、尿垂れによる便所床面の汚れを防止するために、便所用マット等を床に敷く方法が一般的である。しかしながら、例えば洋式便器が設置された便所にあっては、尿が洋式便器の外側周面を伝い床面まで流れ落たり、立ち小便が直接床に飛び散る事があるため、床に敷くマットだけではこれらの尿垂れ等による床面の汚れを完全には防ぐことができず、結果黒ずみ黄ばみが発生し、悪臭腐敗の原因となっていた。またその液滴がいったん洋式便器と床材との隙間にまで浸入してしまうと時間の経過と共にこびりつきが発生し、取り除く事が困難になっていた。
【０００３】
このようなことを解決するものとして、床面と便器との間の湾曲したコーナ部に貼付ける保液テープがある（例えば、特許文献１参照）。
【０００４】
また、便器下部と床の接合部を覆うカバーがある（例えば、特許文献２参照）。
【特許文献１】特開２００５−１４３８４０号公報
【特許文献２】特開２００６−６８７２号公報
【発明の開示】
【発明が解決しようとする課題】
【０００５】
しかしながら、特許文献１に記載の保液テープによれば、洋式便器と床材との間の湾曲したコーナ部に貼付け後保液するものであるが、この保液テープは、吸液力が弱く吸液面を通過した尿が、スリットとスリットの間に浸入し尿溜まりとなる。また、この保液テープは厚みがあり、この厚みの側面は吸液力がなくここにも尿溜まりが出来る。また、裏面の粘着層部分を通過した尿が、洋式便器と床材及びテープに挟まれる形で尿溜まりとなる。したがって、この保液テープにあっては、コーナ部に貼り付けた箇所の保液はしても、保液しきれない尿は別の箇所で尿溜まりとなってしまう課題があった。
【０００６】
一方、特許文献２に記載のカバーは、洋式便器と床材の接合部を楕円形の布で覆い洗濯後再利用を目的とするものである。このカバーは、洗濯後再利用するものであるため、汚水が付着したカバーと通常の洗濯物とを一緒に洗濯するには抵抗感を感じる。また、このカバーは、洋式便器の全周面をぐるりと回し、紐で止めるものであるため、狭い便所でのこの作業は困難であった。
【０００７】
特許文献１、２のいずれについても、便器と床材との隙間部分へ被せるようにテープ等で覆って汚いものを隠したに過ぎないものであるため、洋式便器と床材との隙間への液滴・ほこり・ゴミ等の浸入防止は完全にはできず、結果この尿溜まりが時間の経過と共にこびりついた状態になり、このこびりついてしまった汚れは取り除く作業が非常に困難であった。したがって、液滴・ほこり・ゴミ等を、洋式便器と床材との隙間に入り込むことを防止しなければ、悪臭の発生原因である汚れの付着を完全にはなくすことはできない。
【０００８】
本発明にあっては、このような課題を解決するため、洋式便器と床材等の部材間の隙間への液滴・ほこり・ゴミ等の浸入防止及びその周辺の液滴等による汚れ防止をほぼ完全に出来ると共に取り付けの作業の容易な薄型吸液性汚れ防止シートを提供する事を目的とする。
【課題を解決するための手段】
【０００９】
本発明は、両面に吸液性を有する帯状の薄い可撓性のあるシート本体に対し、硬質で且つ小片状の差し込み部材を複数長手方向に所定間隔で配置し、差し込み部材の前方側でシート本体を長手方向に折り曲げ、この折り曲げた先端側を部材間の隙間に差し込み固定することを特徴とする薄型吸液性汚れ防止シートを提供する事により上記目的を達成したものである。
【００１０】
また、差し込み部材は、差し込み側が人間の爪状に丸く形成されていることが好ましい。
【００１１】
また、シート本体の差し込み側の片面上部側には接着剤層が設けられていることが好ましい。
【００１２】
また、差し込み部材の差し込み側先端に連続して紐状ゴムをシート本体の長手方向両端にかけて設け、更に紐状ゴムの両端に粘着テープを設けてあることが好ましい。
【００１３】
また、このシートは、洋式便器と床材との部材間の隙間に差し込み固定して利用するのが好ましい。
【発明の効果】
【００１４】
本発明による薄型吸液性汚れ防止シートによれば、両面に吸液性を有する帯状の薄い可撓性のあるシート本体と共に差し込み部材がぴったり部材間の隙間に入り込み、その状態で固定される事により、隙間への液滴・ほこり・ゴミ等の侵入をほぼ完全に防ぎ、液溜まりによる汚れの付着を予防する事が出来る。また、可撓性のあるシート本体に複数の差し込み部材を所定間隔で配置することにより、部材間の隙間への差し込み作業が容易になると共に差し込まれる部材のどのような形状にも対応できる。
【発明を実施するための最良の形態】
【００１５】
以下、図１〜図４に基づいて、本発明の好ましい一実施形態について、主として洋式便器と床材との隙間用として例示して説明する。
【００１６】
図１で示すように、本発明の薄型吸液性汚れ防止シート１は、シート本体２として、吸液性の高い帯状の薄い可撓性のあるシート、例えば使い捨てオムツや生理用品（特に薄いおりもの専用シートが好ましい）などに使われるシート２枚を、吸液面が表面２ａ・２ｂになるよう貼り合わせた形からなり、幅方向の一方の縁Ｂ’側に複数の切り込み３が設けられており、一方の表面２ａ上部側には接着剤層４が設けられ、長手方向両端Ａ・ Ａ’には粘着テープ７が設けられ形成されている。
【００１７】
図２で示すように、二枚のシート貼り合わせ面の一方の２ｂ’面には、先端が人間の爪状に丸く形成された薄いプラスチック素材で出来た小片状の差し込み部材５を、先端を他方の縁Ｂ側へ向けると共に、幅方向の縁側に側縁部を余して、複数長手方向に所定間隔を空けて配置している。また、複数の差し込み部材５，５・・の先端側に連続して紐状ゴム６を、端Ａから端Ａ’にかけて設けると共に、端部分より伸びた紐状ゴム６を端Ａ・ Ａ’の各粘着テープ７に貼り付けた構造としている。
差し込み部材５は、その先端が人間の爪状に丸く形成されていることにより、部材間の隙間に差し込んだ際の隣同士の差し込み部材５の先端が接触することを防ぐと共に、シート本体２を傷つけ突き破ることを防ぐことができる。
この差し込み部材５と紐状ゴム６は、二枚の吸液シート間に挟まり内蔵した形になっているが、シート本体２の表面に配置した構造であっても構わない。
【００１８】
図３は、薄型吸液性汚れ防止シート１の図３（Ａ）に示すように、Ｙ−Ｙ’断面及び便器下部８と床面９との隙間部分１０に差し込み、取り付けする方法を表した説明図である。図４は、洋式便器本体１１の便器下部８と床面９の隙間部分１０に、本発明の薄型吸液性汚れ防止シート１を取り付ける状態を示す説明図である。
【００１９】
図３，図４に示すように、薄型吸液性汚れ防止シート１の長手方向ほぼ半分部分に位置する差し込み部材５部分と共に、図３（Ｂ）に示すように、シート本体２の２ａ側を内側にするよう（２ｂ側を外側にするよう）に２つに折り曲げ、図３（Ｃ）に示すように、洋式便器前方中央付近の便器下部８と床面９との隙間部分１０をめがけて差し込み部材５部分を指で押しながら差し込み仮固定し、接着剤層部分４を便器下部８の外周面に貼り付けることで、図３（Ｄ）に示すような取り付け状態となる。更に、接着剤層部分４を便器下部８の外周面に沿って貼り付ける作業を、Ａ側の端まで繰り返した後、粘着テープ７を便器下部８の外周面に貼り付け固定する。同様にＡ’側も端まで繰り返した後、粘着テープ７を便器下部８の外周面に貼り付け固定する。このことにより、全ての取り付け作業が完了し、図４に示すような取り付け状態となる。なお、Ａ・ Ａ’側どちらから先に貼り付けても良い。
【００２０】
この薄型吸液性汚れ防止シートは、使い捨てオムツや生理用品（特に薄いおりもの専用シートが好ましい）などに使われるシートをシート本体として用いることにより、弾力性を有し、２つに折り曲げた状態で部材間の隙間に差し込むことで、その弾力性によりぴったり隙間内に装着・固定される。このことにより、洋式便器と床材との隙間への液滴・ほこり・ゴミ等の浸入をほぼ完全に防止することが出来る。
【００２１】
便器下部８と床面９との接地面の隙間部分１０に取り付け固定された薄型吸液性汚れ防止シート１は、便器の縁に掛かった尿が外側周面を伝い流れ落ち床面に到達する前に吸液するのは勿論のこと、流れ落ちてきた尿が上部の接着剤層部分４を尿が通り抜けたとしても、吸液シート２ｂにより吸液し隙間部分１０に流れ込む事を食い止めることができる。また、薄型吸液性汚れ防止シート１を取り付けることによりそれまで隙間部分１０に溜まっていた尿も吸液することが出来る。
【００２２】
この薄型吸液性汚れ防止シート１は、床面９部分には接着剤層部分を設けてはいない。大抵洋式便器本体１１は陶器などで作られているため薄型吸液性汚れ防止シート１の着脱を繰り返しても接着剤により表面を傷つける心配はないが、床面９部分はゴムマット、木、コンクリートなど様々であるため床材を傷つけない事を配慮するためにも接着剤層を設けていない。このためしばらく取り付けていると接着剤層部分４のみでは隙間部分１０より差し込み部材５が外れがちになるため、紐状ゴム６が差し込み部材の爪５によって隙間部分１０に押し込められ粘着テープ７によって両端で便器下部８に貼り付いている事により、薄型吸液性汚れ防止シート１が差し込んだ隙間部分１０より外れにくくする役目をしている。
【００２３】
この薄型吸液性汚れ防止シート１がある程度吸液したならば、粘着テープ７と接着剤層部分４から丁寧に薄型吸液性汚れ防止シート１を洋式便器本体１１から剥がし、新しい薄型吸液性汚れ防止シート１に付け替える事により、安価なランニングコストで、間便に、いつも清潔に維持出来る。
【００２４】
本発明に係る薄型吸液性汚れ防止シート１は、これらの実施形態に限定されることなく種々の変更が可能である。例えば、差し込み部材５は、薄いプラスチックである必要はなく、シートを圧縮等で硬質化させ差し込み部材代わりとすることもでき、金属、木材等種々の硬質部材を用いて構成する事が出来る。また、差し込み部材の先端の形状は、丸・四角・三角等必ずしも人間の爪のような形状である必要はなく、また大きさ、配置共適宜設置できるものであれば良い。また、用途によっては、シート本体２のシート縦（幅）方向、横（長手）方向の長さを変える事も出来る。また接着剤は、シートに後付でも構わない。また、必要に応じて芳香剤あるいは消臭剤をシートに散布して便所空間をよりさわやかに保つことも出来る。
【産業上の利用可能性】
【００２５】
本発明に係る薄型吸液性汚れ防止シートは、これらの実施の形態に限定されるものではない。便所に使用される他、洗面所、台所、食堂等の水回り及び油を使う機械周りなどにも使用が考えられる。また液滴・ほこり・ゴミ等が浸入して困るような隙間にも種々形態のシートとして適用可能である。
【図面の簡単な説明】
【００２６】
【図１】本発明の好ましい一実施形態としての一面側を示す正面図である。
【図２】図１に示す薄型吸液性汚れ防止シートの組み立て構造を示す斜視図である。
【図３】図１に示す薄型吸液性汚れ防止シートのＹ−Ｙ’断面及び差し込み、取り付けする方法を表した説明図である。
【図４】図１に示す薄型吸液性汚れ防止シートを取り付ける状態を示す説明図である。
【符号の説明】
【００２７】
１  薄型吸液性汚れ防止シート
２  シート本体
２ａ・２ｂ  吸液シート表面
２ｂ’ シート貼り合わせ面
３  切り込み  
４  接着剤層  
５  差し込み部材    
６  紐状ゴム    
７  粘着テープ  
８  便器下部    
９  床面    
１０  隙間部分
１１  洋式便器本体
Ａ・Ａ’  端
Ｂ・Ｂ’  縁
【図１】
2009153934.tif 000003
【図２】
2009153934.tif 000004
【図３】
2009153934.tif 000005
【図４】
2009153934.tif 000006